Podtech/llm-jp-corpus-v4-ja_patent huggingface dataset:
(57)【要約】【課題】これまで、乳児に授乳させる際には、授乳させる者が素手で行っており、両手が使えなくなるという難点があった。  また、既存の器具を使用しても、器具本体や哺乳瓶の安定性が低かった。  本発明は、両手を使わず安全に長時間授乳を行うための授乳器を提供する。【解決手段】Ｕ字状の本体の両端に各足部を設け、本体の中央に首関節部を設け、首関節部にネジを貫通させ、首関節部に腕部を取り付け、腕部の先端に腕関節部を設け、腕関節部に針金を貫通させ、腕関節部に挟み部を取り付けたことを特徴とする授乳器。【選択図】図１
2015013084.tif 000002
【特許請求の範囲】
【請求項１】
歪曲した棒状の本体の両端に足部を設け、本体中央に首関節部を設け、首関節部に腕部を取り付け、腕部の先端に腕関節部を設け、腕関節部に挟み部を取り付けた授乳器。
【発明の詳細な説明】
【技術分野】
【０００１】    本発明は、乳児の授乳に関するものである。
【背景技術】
【０００２】  従来、乳児に授乳させる際には、授乳させる者が素手で行うか、器具を使用しても、本体や哺乳瓶の安定性が低かった。
【先行技術文献】
【特許文献】
【０００３】
【発明の概要】
【発明が解決しようとする課題】
【０００４】  これまで、乳児に授乳させる際には、授乳させる者が素手で行っており、両手が使えなくなるという難点があった。
また、器具を使用しても、器具本体や哺乳瓶の安定性が低かった。
本発明は、以上の問題を解決するためのものである。
【課題を解決するための手段】
【０００５】  Ｕ字状の本体の両端に各足部を設け、本体に首関節部を設け、首関節部にネジを貫通させ、首関節部に腕部を取り付け、腕部の先端に腕関節部を設け、腕関節部に針金を貫通させ、腕関節部に挟み部を取り付ける。
以上の構成よりなる授乳器。
【発明の効果】
【０００６】  授乳をさせながら、両手が自由に使えるようになり、既存の構成による類似品よりも機器本体と哺乳瓶の安定性が高く、より使いやすく安全である。
【図面の簡単な説明】
【０００７】
【図１】本発明の斜視図
【発明を実施するための形態】
【０００８】  以下、本発明の実施の形態を説明する。
（イ）Ｕ字型の本体（１）の両端に、各足部（２）を設ける。
（ロ）本体（１）の中央部に首関節部（３）を設ける。
（ハ）首部関節部（３）にネジ（４）を貫通させ、腕部（５）を取り付ける。
（ニ）腕部（５）の先端に腕間接部（６）を設け、腕関節部（６）に針金（７）を貫通させ、腕関節部に挟み部（８）を取り付ける。
本発明は以上のような構造である。
本発明を使用するときは、挟み部（６）に哺乳瓶を挟み、首関節部（３）と稼動部（４）と本体全体を動かしながら、授乳に適した位置へと固定する。
【符号の説明】
【０００９】  １本体、２足部、３首関節部、４ネジ、５腕部、６腕関節部、７針金、８挟み部
【図１】
2015013084.tif 000003
(57)【要約】      （修正有）【課題】対局後、盤石をおいた状態で保管可能な碁盤および碁盤を覆う蓋の提供。【解決手段】碁盤の蓋１の内側に、碁石を囲み固定するための柱状の突起２を設置する。突起２を設置する位置は、碁石を碁盤上に並べた際にできる、碁石間の隙間の位置に相当する。また、蓋は、盤石にかぶせる際の碁石の位置の確認や、かぶせた後の局面の鑑賞などのために、透明な素材を用いるのが望ましい。【選択図】図１
2015013087.tif 000002
【特許請求の範囲】
【請求項１】
収納あるいは中断の際、碁盤上に配置した碁石が動かないようにするための突起を内側に配した碁盤の蓋。
【発明の詳細な説明】
【技術分野】
【０００１】本発明は、対局中の碁石の配置を保存するための技術に関するものである。
【背景技術】
【０００２】従来、通常の碁盤・碁石において対局を中断し収納する場合、碁石の配置をいったん崩し、碁笥に碁石を入れ収納しなければならなかった。また、対局を再開する際は、碁罫紙、パソコン等への記録を元に再度当該局面まで並べ直す必要があった。
【発明の開示】
【発明が解決しようとする課題】
【０００３】本発明は、通常の碁盤・碁石において対局を中断し収納する場合、碁石の配置を崩さずに収納できる囲碁セットを提供するものである。
【課題を解決するための手段】
【０００４】碁盤の蓋１の内側に、碁石を囲み固定するための柱状の突起２を設置する。突起を設置する位置は、碁石を碁盤上に並べた際にできる、碁石間の隙間の位置に相当する。なお、柱状の突起２の形状は、碁石を固定できる機能を有していれば特に拘らない。また、蓋は、盤石にかぶせる際の碁石の位置の確認や、かぶせた後の局面の鑑賞などのために、透明な素材を用いるのが望ましい。
【発明の効果】
【０００５】本発明により対局の中断・再開が容易になるため、例えば職場の昼休みのような限られた時間、断片的な時間でも、有効に対局を打ち継ぐことができる。また、中断の際の記録や再開の際の並べ直しも不要であるため囲碁が平易で身近なものとなり、普及の観点からも有益である。
【図面の簡単な説明】
【０００６】図の簡略化のため［図１］［図２］［図３］［図４］とも９路盤の想定であるが、当然通常のサイズの碁盤（１９路盤）や他のサイズの碁盤にも対応するものと見做す。
【図１】本発明の「碁盤の蓋」の斜視図である。
【図２】本発明の「碁盤の蓋」の上面図である。
【図３】碁盤に碁石を配置した実施例である。
【図４】上記［図３］の実施例に、本発明の「碁盤の蓋」をかぶせた上面図である。
【符号の説明】
【０００７】１  碁盤の蓋
２  柱状の突起
【図１】
2015013087.tif 000003
【図２】
2015013087.tif 000004
【図３】
2015013087.tif 000005
【図４】
2015013087.tif 000006
(57)【要約】【課題】これまで、シーチキンを絞る道具がなく、シーチキンは素手で絞られていて、シーチキンの油によって手が汚れていた。【解決手段】下ハンドルの先端に下スプーン部を設け、下ハンドルの根元から上ハンドルを設け、上ハンドルの先端に上スプーン部を設け、上スプーン部に複数の小穴と縁蓋を設けたことを特徴とするシーチキン絞り器。【選択図】図１
2015013085.tif 000002
【特許請求の範囲】
【請求項１】
二つのハンドルに各スプーン部を設け、片側のスプーン部に小穴を設け、片側のスプーンに縁蓋を設けたシーチキン絞り器。
【発明の詳細な説明】
【技術分野】
【０００１】    本発明は、シーチキンを絞る器具に関するものである。
【背景技術】
【０００２】  従来、シーチキンは素手で絞られていた。
なお、袋のようなものに入れて絞る方法がある。
【先行技術文献】
【特許文献】
【０００３】
【発明の概要】
【発明が解決しようとする課題】
【０００４】  これまで、シーチキンを絞る道具がなく、シーチキンは素手で絞られていて、シーチキンの油によって手が汚れていた。
本発明は、以上の問題を解決するためのものである。
【課題を解決するための手段】
【０００５】  下ハンドルの先端に下スプーン部を設け、下ハンドルの根元から上ハンドルを設け、上ハンドルの先端に上スプーン部を設け、上スプーン部に複数の小穴と縁蓋を設ける。
以上の構成よりなるシーチキン絞り器。
【発明の効果】
【０００６】  シーチキンを絞る際に、手が汚れることがなくなる。
【図面の簡単な説明】
【０００７】
【図１】本発明の斜視図
【発明を実施するための形態】
【０００８】  以下、本発明の実施の形態を説明する。
（イ）下ハンドル（１）の先端に、下スプーン部（２）を設ける。
（ロ）下ハンドル（１）の根元から上ハンドル（３）を設ける。
（ハ）上ハンドル（３）に上スプーン部（４）を設ける。
（ニ）上スプーン部（４）に小穴（５）を複数開け、上スプーン部（４）の周囲に縁蓋（６）を設ける。
本発明は以上のような構造である。
本発明を使用するときは、下ハンドル（１）と上ハンドル（３）を持ち、下スプーン部（２）でシーチキンをすくい、下ハンドル（１）と上ハンドル（３）を握ると、下スプーン部（２）と上スプーン部（４）でシーチキンが絞られる。圧縮されたシーチキンは、縁蓋（６）によって外へ漏れることはなく、小穴（５）から油だけが外へ出る。
【符号の説明】
【０００９】  １下ハンドル、２下スプーン部、３上ハンドル、４上スプーン部、５小穴、６縁蓋
【図１】
2015013085.tif 000003
(57)【要約】      （修正有）【課題】非常用の備蓄トイレにおいて備蓄が省スペースで、使用に際しては容易に準備が出来て使用感の良い非常用備蓄トイレを提供する。【解決手段】便座板５の便座板突起部５−１に糞尿袋の開口部を引っ掛けて使用する事で、糞尿袋を小サイズ化した。更に、非常用備蓄トイレ便座部の便座板５を着脱自在とし、上部が便器で下部がトイレ保管庫の機能型トイレにした。【選択図】図２
2015013081.tif 000002
【特許請求の範囲】
【請求項１】
携帯トイレの糞尿袋開口部を係止するための便座板で、便座板の中央部面積の５０〜８０％が穴空き形状で、便座板の外周部に糞尿袋開口部を係止するために４〜６個の突起を有する便座板を保持する事を特徴とするトイレ保管庫
【請求項２】
保管庫が便器として使用できる箱で、請求項１の便座板が着脱自在であるトイレ保管庫
【請求項３】
前記、請求項２記載のトイレ保管庫で、上部が便器で下部が糞尿袋収納庫であることを特徴とするトイレ保管庫
【発明の詳細な説明】
【技術分野】
【０００１】本発明は便座板と便器を具備したトイレ保管庫に関する。
【背景技術】
【０００２】非常時のために準備する携帯トイレとしては、ポリエチレン製の糞尿袋が使用されている。災害で上下水道が使用できないことを想定しているので、糞尿袋を日常使用している便器に被せて使用する。この際、便器を被う形で糞尿袋をセットするので、袋が大きいものでないとセット出来ない。このため、糞尿袋の開口部が大きなものを使用することが必要となる。ところが、糞尿袋が大きい為、備蓄時は場所を確保するために、使用時はその大きさに、使用後は収容場所の確保に不便となっていた。備蓄保管するために省スペースで、非常時であっても糞尿袋を容易に便器にフィット出来ることと、トイレの使用を快適に完了できる手段の提供が望まれていた。
【発明の概要】
【発明が解決しようとする課題】
【０００３】非常用の備蓄トイレにおいて、備蓄のために省スペースであること。使用時には便器に短時間で確実にセットできて、使用感が良いトイレの提供にある。
【課題を解決するための手段】
【０００４】上記の課題を解決すべく本発明者らは鋭意検討した結果、上記の課題は次のような手段によって解決できることがわかった。
即ち、糞尿袋の開口部を便器に、或いは便座に直接セットするには、大口径の糞尿袋が必要である。そこで、糞尿袋を便器或いは便座より若干小さめで中央部が穴空きの板状物に袋の開口部をセットしたものを便器上に置く。更に、該板状物の周縁部に突起物を配し、該突起物に糞尿袋開口部を引っ掛けて使用する事で設置が容易になる。また、箱の上部に便器を配し、該板状物が着脱自在とすることでトイレの使用が簡単になった。尚、この箱の下部分は糞尿袋の収納庫であることによって非常時における上記課題が解決できることがわかった。
【発明の効果】
【０００５】本発明の便座板を使用することで、備蓄するトイレの糞尿袋を小さいものにすることと、省スペースでの収納が可能となった。使用時は、便座板周縁に配した突起部に糞尿袋の開口部を引っ掛けて便器に載せれば使用可能の状態になるので、トイレ使用までの時間短縮が図れた。尚、通常の洋式トイレで使用する事は勿論、専用のトイレ保管庫を準備する事で場所を厭わないトイレ確保に貢献することが期待できる。
【図面の簡単な説明】
【０００６】
【図１】  図１はトイレ保管庫の平面図
【図２】  図２はトイレ保管庫の正面図
【図３】  図３は便座板の平面図
【図４】  図４は便座板に糞尿袋を引っ掛けている途中の見取り図
【発明を実施するための最良の形態】
【０００７】  着脱自在の便座板を配備したトイレ保管庫で、上部分に便器を配置し、下部は携帯トイレの保管庫である。使用時は便座板を取り外し、これに保管庫の携帯トイレから糞尿袋の開口部分を便座板の突起に引っ掛けて、袋部を便器内部に入れて着装すると利用可能状態となる。
【実施例１】
【０００８】以下、本発明を図面を用いて詳細に説明する。
図１は本発明の正面図で図２は断面図であるが、使用に際しての手順を追ってみる。先ず、保管庫３から携帯トイレを取り出し糞尿袋８を図１、図３の便座板５にセットする。この際、図４の糞尿袋８の開口部８−１を便座板の突起部５−１に引っ掛ける。
次に、糞尿袋を取り付けた便座板を便器１の上部に配した便座板固定具６に合わせて設置する。この時、糞尿袋の袋部は便器内の穴部７を通じて便器２内に押し込んで準備ができた。用を足した後は糞尿袋８と同封されている凝固剤を糞尿に振りかけ投入した。２０〜３０秒程度で糞尿が固まったので、糞尿袋の開口部を縛って所定の位置に置いた。
実施に際しては、プライバシーを確保するために周りをテントで囲んで使用した。この時使用した保管庫は、塩化ビニル製箱型で寸法がＷ４２０ｍｍ×Ｄ４１０ｍｍ×Ｈ４７０ｍｍで、重量９ｋｇで耐荷重１５０ｋｇを有する安定感のある物である。箱内部には便器２と保管庫３を間仕切り４で仕切り、間仕切りには万が一に備えて防水を施した。便座板５は縦３３５ｍｍ×横２６５ｍｍの長方形の４角を丸めるが、この際、丸み部に三角形状の突起５−１を配置し、板の外周に沿って３０ｍｍ幅を残して穴空きにしたベニヤ板製のものを使用した。
平時においての使用では多少違和感があるが、非常事態を想定する時、その耐荷重安定性や使用感は納得を得るものであった。
【実施例２】
【０００９】  図３の便座板５の突起部５−１に糞尿袋８の開口部を引っ掛けた状態で、家庭用の温水便座に乗せて使用した。糞尿袋に用を足す以外は通常と変わらない状態であるので、全く問題はない。むしろ、日常使用しているトイレに便座板を常備しておくことが、非常時への対策ですらある。
便器となる保管庫は塩ビ、木、ＦＲＰ等で製作する事が好ましく、便座板は塩ビ、木、ＦＲＰ、紙等の剛性を有する素材から選ばれる。
【産業上の利用可能性】
【００１０】自治体によっては企業に備蓄条例が実施され、非常時には従業員を企業に留まらせることが求められている。このような状況下では、トイレの備蓄が最初に求められる。それは、言わずと知れた前日の分が排泄されるから待ったなしである。備蓄に省スペースで容易に使用準備が出来て、使用感の良いトイレ保管庫は時季に打って付けのものである。本発明により非常時に対する心構えの醸成と安心感を与える事は非常に有意義なことである。
【符号の説明】
【００１１】１        ：トイレ保管庫
２        ：便器
３        ：備蓄用トイレ保管庫
４        ：間仕切り
５        ：便座板
５−１    ：便座板突起部
６        ：便座板固定部
７        ：便器内穴部
８        ：糞尿袋
【図１】
2015013081.tif 000003
【図２】
2015013081.tif 000004
【図３】
2015013081.tif 000005
【図４】
2015013081.tif 000006
(57)【要約】      （修正有）【課題】手の握力や腕の動きが弱くなっても、背中を洗い易い専用タオルを提供する。【解決手段】タオルの両端に輪、弧もしくはコの字状の取手を付ける。【選択図】図１
2015013083.tif 000002
【特許請求の範囲】
【請求項１】
タオルで背中をあらう動作をする際、手がタオルからはずれる事がある。それを防止または体をあらう動作を補助するため、タオルの両端に重ねた布、布製の紐、金属製品、プラスチィク樹脂製品、木製品等の取手を付ける。
【発明の詳細な説明】
【発明の詳細な説明】
タオルの両端に重ねた布、布製の紐、金属製品、プラスチィク樹脂製品、木製品等のものを輪、弧、もしくはコの字型等の取手を付ける。
【技術分野】本発明は、背中を洗うという動作を親指と人差し指でタオルをにぎりやすくし、タオルから手がはずれにくくするためのものです。
【背景技術】布や化学繊維一枚の平面のみ
【発明が解決しようとする課題】
一般のタオルでは、握力の弱い人もしくは腕の動きが弱い人は背中を洗う動作でタオルの両端から手が離れやすく、洗うのに苦労する。
【課題を解決するための手段】
タオルの両端に輪、弧もしくはコの字状に重ねた布、布製の紐、金属製品、プラスチィク樹脂製品、木製品等の取手を付けると握力の弱い人、腕の動きの悪い人でもやさしく洗う動作ができる。
【発明を実施するための形態】
一般の販売網（店頭、通信販売等）にて販売
【発明の効果】
背中を洗う動作が楽になる。
【図面の簡単な説明】
【図１】タオル部分と発明提案部品を上手く組み合わせて、動作のしやすい状態を創る。
【図２】部品材質及び部品形状は、取手として持ちやすいものがいろいろと考えられる。
【図１】
2015013083.tif 000003
【図２】
2015013083.tif 000004
(57)【要約】【課題】    かがみの冷たいくもりを除去する時の嫌い気持をならないため効果的に解決すること。【解決手段】本体２に柄１と吸盤３を設けた吸盤式除去器により，この課題を解決する。【選択図】図４
2015013279.tif 000002
【特許請求の範囲】
【請求項１】
本体に柄と吸い付けるための吸盤を設けたことを特徴とする吸盤式除去器。
【発明の詳細な説明】
【技術分野】
【０００１】  本発明は，かがみのくもりを除去するための吸盤式除去器に関するものである。
【背景技術】
【０００２】  従来なら、かがみの表面に形成した冷たいくもりに対しては，いつも手であるいはタオルで直接的にくもりを除去すると嫌い気持になることがあった。
【発明の開示】
【発明が解決しようとする課題】
【０００３】  本発明は，かがみの表面に形成した冷たいくもりを気楽で効果的に除去する除去器の提供を目的とするものである。
【課題を解決するための手段】
【０００４】  この課題を解決するための請求項１の発明は，本体に柄と吸盤を設けたことを特徴とする気楽で効果的な吸盤式除去器である。本発明は，手で柄を持って除去器が
かがみの表面の上で自由的に滑動しながらくもりを除去することができる。そし
2015013279.tif 000003
けることもできる。
【発明の効果】
【０００５】  本発明により，手やタオルは直接的にかがみの冷たいくもりを除去することならず。だから、嫌らい気持はならない。かがみの表面に吸い付けることができるから，次に使用する時に便利になる。
【発明を実施するための最良形態】
【０００６】  図１は、吸盤式除去器の本体２に柄１と吸盤３を設けたことを特徴とする。かが
2015013279.tif 000004
なところで吸い付けることもできる。
【０００７】  これら吸盤式除去器の材料は，軟性ゴム、塩化ビニル樹脂などのものでよい。
または，吸盤式除去器の形壮と色付には芸術的としてもよい。
【産業上の利用可能性】
【０００８】  本発明に係る吸盤式除去器は，工業的に量産する事が可能であるため、産業上の利用可能性を有する。
【図面の簡単な説明】
【０００９】
【図１】  吸盤式除去器の正面図である。
【図２】  吸盤式除去器の平面図である。
【図３】  吸盤式除去器の下面図である。
【図４】  図１の断面図である。
【符号の説明】
【００１０】  １        本体２に柄１を設けた吸盤式除去器
２        本体２を設けた吸盤式除去器
３        本体２に吸盤３を設けた吸盤式除去器
４        かがみの表面
【図１】
2015013279.tif 000005
【図２】
2015013279.tif 000006
【図３】
2015013279.tif 000007
【図４】
2015013279.tif 000008
(57)【要約】      （修正有）【課題】高速回転する円筒形の外周へカンナ刃を取り付けたカンナ盤であって、円筒形の長さを加工物の幅以上としても、以下の悪現象を発生させない。１）高速回転において、刃が加工物に接した時の打音が大きい。２）振動が大きい。３）刃の消耗が大きい。４）刃の突出量の調整が困難。【解決手段】円筒形を、加工物の幅の半分の長さとした円筒１，２を２個組付けて構成する構造とし、かつ、それぞれの円筒における刃８の位置を円周方向に相互ずらす。【選択図】図３
2015080947.tif 000002
【特許請求の範囲】
【請求項１】
（１）ブロック（円筒形）と（２）ブロック（円筒形）を（６）位置決めピンで４５°廻して、ずらし、組み付け１対のブロックとし、（２）ブロックには（１）ブロックの刃を抜く為の（９）Ｖ溝を付ける。（１）・（２）ブロックの外周部の４等分の位置に（３）棒状刃止めを組み付ける。
（３）棒状刃止めの長手の一方に（３’）小丸状にカットし、其処より他方へ（３”）溝状に外形までカット、其の先の外形方の左側に（７）鋼球設置し（４）エキセン軸を（１１）・（１２）６角レンチを回し（８）刃を固定させる。
（１）ブロック（円筒形）と（２）ブロック（円筒形）を単独のブロックとして使用可能である。
【発明の詳細な説明】
［従来の装置の不備な点］
〔１〕削り面が悪い。
〔２〕振動が大きい。
〔３〕騒音が大きい。
〔４〕重切削が出来ない。
〔５〕刃のいたみが早い。
［発明の利点］
〔１〕頻繁刃物交換をするが、毎回同じ位置へ取り付ける事が出来る。
〔２〕同一幅の切削をするのに、半分の長さで２回切削する事で振動騒音も半減する、因って（１）ブロックと（２）ブロックの組み付け４５°角度をずらせば大変有効である。
〔３〕騒音発生の原因は刃先が高速で切削物に接した時の、打音発生するので１回の切削幅を半分にすれば、騒音振動を半減する。
〔４〕（１）ブロックと（２）ブロックを１対とし、片方の組み付けを４５°角度を廻し、ずらすので、刃に掛かる力も半分ですむ其の分切削量多く出来る。
発明の詳細な説明
［発明の対象、産業利用分野］
本発明は木工加工分野に利用される。本発明は木工用切削加工に関するものである。
（従来の技術と其の問題点）刃物交換した時の刃先の出かた不正確であり、重切削に弱く振動と騒音が大きい。
［本発明の目的］
（ａ）刃先の出し方正確に出来る
（ｂ）重切削を可能とする
（ｃ）振動と騒音減少する
（ｄ）刃の寿命が長くなる
本発明の構成
本発明は第１図第２図に（１）ブロックと（２）ブロック等を（１７）主動軸へ（１９）ナッツトを回し固定する。
始めに（１５）カンナ盤本体に付き説明する。
〔１〕
第１図はカンナ盤全体図である。
（１５）カンナ盤本体上面と（１６）垂直板に沿って（２３）加工用板を矢印方向へスライドさせ（２０）突き出し窓より（８）刃の出た部分で切削する。
〔２〕
（６）刃の交換時用の（９）Ｖ溝が（２）ブロックには有り（１）ブロックの（８）刃を右方向へ引き抜く。
〔３〕
（１）ブロックと（２）ブロックで組み付け（２）ブロックのみ（９）Ｖ溝付け１対とし、構造は両方共同じである。（６）位置決めピンにて４５°廻し取り付けをずらして（１７）主軸へ（１９）固定ナットで廻し締め付け固定する。
【実施例】本発明を図面に示した実施例に基つき詳細な説明をする。
第１図・第２図は（１５）カンナ盤本体図であり、（１６）垂直板・（１７）主軸・（２２）モーター・（１）ブロックと（２）ブロック・（２０）刃の突き出し窓となり、
（１９）固定ナットにて（１）・（２）ブロックを１対とし、（１７）主軸へ固定する。
（１５）カンナ盤本体上面へ、（２３）加工材矢印方向送りその底面削る。
（１８）主軸軸受けメタルである。
（１）ブロックの（８）刃を交換時用の（９）Ｖ溝は（２）ブロックのみ設け（９）Ｖ溝内を引き抜き可能する。
第３図は  （１）ブロック（２）ブロック正面図ある。（３）棒状刃止め・（６）位置決めピン・（８）刃・主軸穴クロスハチングで示す、又（９）Ｖ溝はハチングで示すが、（２）ブロックのみ有る。
第４図  （１）・（２）ブロックの右側面図である。
（３）棒状刃止め・（６）位置決めピンで、（１）ブロックと（２）ブロックの組み付け角度を４５°廻してずらして固定する。
第５図は第４図のＨ角枠部拡大図であり、
（１）ブロック（円筒形）と（２）ブロック（円筒形）を（６）位置決めピンで４５°廻してずらし、組み付け１対のブロックとし、
（２）ブロックには（１）ブロックの刃を抜く為の（９）Ｖ溝を付ける。（１）・（２）ブロックの外周部の４等分の位置に（３）棒状刃止めを組み付ける。
（３）棒状刃止めの長手の一方を（３’）小丸状にカットし、そこより他方へ（３”）溝状に外形までカット、其の先の外形方の左側に（７）鋼球設置し（４）エキセン軸を回し（６）刃を固定させる。
（５）  振り出し防止用突起、
（７’）  削り屑排出用ポケット、
（１１）（２）ブロックの（４）エキセン軸締め付け用
（１２）（１）ブロックの（４）エキセン軸締め付け用
作用
〔１〕
（１）ブロック・（２）ブロック外周部に（３）棒状刃止めを等分な位置に装置し（８）刃を頑丈固定する。
〔２〕
（１）ブロックと（２）ブロックを１対のブロックとし各々ブロックの切削タイミング４５°ずらすので１回の切削量が半分となる為、振動騒音と動力等半減する。
【発明の効果】
（１）振動、騒音、動力が半減する
（２）仕上げが良くなり、刃の寿命大変長くなる。
【図面の簡単な説明】
【図１】カンナ盤全体図である。
【図２】の刃突き出し窓部の２１角枠内の拡大図である。
【図３】ブロック組付け図である。
【図４】は第３図の右側面図である。
【図５】は」第４図角枠Ｈ部の拡大図である。
【図６】は第５図Ｃ・Ｄ・Ｅ・Ｆ・Ｇ内の部分の拡大断面図である。
【図１】
2015080947.tif 000003
【図２】
2015080947.tif 000004
【図３】
2015080947.tif 000005
【図４】
2015080947.tif 000006
【図５】
2015080947.tif 000007
【図６】
2015080947.tif 000008
(57)【要約】      （修正有）【課題】健康促進用チップ（ゲルマや磁気やブラックシリカなど）などを個々の絡穴（ツボ）に的確に当たるようにした健康促進用チップの絡穴（ツボ）当て錘付き健康ジュエリーを提供する。【解決手段】日常生活の自然体で装着されたジュエリーの最下点にスライド金具２や固定式バチカンのペンダントトップやクラスプなどの錘を使用するにより、くるぐる、回っていたジュエリーが元の位置に復元され元々配置していた健康促進用チップ３が的確に個々の絡穴（ツボ）に当たるができるようにした健康促進用チップ３の絡穴（ツボ）当て錘付き健康ジュエリー。【選択図】図１
2015080714.tif 000002
【特許請求の範囲】
【請求項１】
装着時、自然体での最下点にスライド金具や固定式バチカンのペンダントトップやクラスプ等の錘を設置し、その位置を基準に絡穴（ツボ）の位置にゲルマや磁気やブラックシリカ等の健康促進用チップを配置したことを特徴とする健康促進用チップの絡穴（ツボ）当て錘付き健康ジュエリー。
【発明の詳細な説明】
【技術分野】
【０００１】  本発明は、ゲルマや磁気やブラックシリカ等の健康促進用チップを絡穴（ツボ）に適切に当たるようにするため錘を設けた錘付き健康ジュエリーに関するものである。
【背景技術】
【０００２】  従来、ゲルマや磁気やブラックシリカなどの健康促進用チップが装着されたネックレスヤブレスレットはあったが、ゆったり目のネックレスや腕より大き目のブレスレトは位置安定せずグルグルまわりチップの位置が移動してしまった。
ネックレスやブレスレットにスライド金具やペンダントトップやクラスプを設けている健康ジュエリーもあったが単なるデザインであり絡穴（ツボ）の位置とは関係のないものであった。
また、チップを粉末にして金属に錬りこむ方法や、チップの数を増やす方法が取られてきた。
【先行技術文献】
【特許文献】
【０００３】
【特許文献１】  特開２００８−３０３４４６号公報
【特許文献２】  特開２００８−２７９５６４号公報
【発明の概要】
【発明が解決しようとする課題】
【０００４】  そのために、次のような問題点があった。
単なるスライド金具やペンダントトップやクラスプを設けるだけで、絡穴（ツボ）の位置を無視して健康促進用チップを配置しているために非効率的な効用効果しか出なかった。
チップを粉末にして金属に錬りこむ方法は、手間も掛かり非経済的であり、かつ、異物混入のため、金属劣化が避けられず含有率の限界があった。
そして、チップの含有率を低くすることにより効用効果に問題があった。
また、絡穴（ツボ）に当たる確率を上げるためにチップの数を増やすことは、非経済的であり、美的な面で問題を生じた。
本発明は以上の問題点を解決しようとするものである。
【課題を解決するための手段】
【０００５】  人間の自然体、または、日常生活での自然体で最も長時間取られるポーズに基づいてジュエリーを使用した場合のそのジュエリーの最下点に錘役のスライド金具や固定式バチカンのペンダントトップやクラスプ等を配置する。
その状態での位置から絡穴（ツボ）に当たるように健康促進用チップを配列する。
以上を特徴とする錘付き健康ジュエリーである。
【発明の効果】
【０００６】  本発明は、ネックレスやブレスレットに付けられた錘役のスライド金具や固定式バチカンのペンダントトップやクラスプ等により、いままでグルグル回ってしまったジュエリーが元の位置に復元しようとするものである。
それにより個々の絡穴（ツボ）に対して配置していた健康促進用チップが最大時間絡穴（ツボ）に当たり効能効果が最大限発揮できる。
【図面の簡単な説明】
【０００７】
【図１】  本発明のスライド金具を使用したネックレスの斜視図である。
【図２】  本発明の固定式バチカンのペンダントトップを使用したネックレスの斜視図である。
【図３】  本発明のクラスプを使用したブレスレットの斜視図である。
【図４】  本発明のスライド金具を使用したネックレスの使用状態を示した斜視図である。
【図５】  本発明の固定式バチカンのペンダントトップを使用したネックレスの使用状態を示した斜視図である。
【図６】  本発明のクラスプを使用したブレスレットの使用状態を示した斜視図である。
【発明を実施するための形態】
【０００８】  以下、本発明の実施の形態を説明する。
（イ）首や手首の実寸より大き目の輪のジュエリー（１）を使用。
（ロ）ジュエリーの錘役になるスライド金具や固定式バチカンのペンダントトップやクラ    スプ等（２）をそのジュエリーの通常使用の最下点に装着する。
（ハ）最下点に錘役のスライド金具や固定式バチカンのペンダントトップやクラスプなど    （２）の位置から個々の絡穴（ツボ）の位置に健康促進用チップ（３）が当たる様に    設置する。
本発明は、以上の構成によりなっている。
本発明を使用するときは、ジュエリー（１）の最下点にスライド金具や固定式バチカンのペンダントトップやクラスプなど（２）を錘役として装着し、その位置から個々の絡穴（ツボ）に合った位置に健康促進用チップ（３）を配列する。
錘役を設けることにより、ジュエリーが元の位置に復元しようとし、元々絡穴（ツボ）に当たるように配列していた健康促進用チップ（３）がより長時間当たり効率良い効能効果が得られる。
【符号の説明】
【０００９】  １  首周りや腕周りより大きい輪のジュエリー
２  錘役の金具、ペンダントトップ、クラスプなど
３  健康促進用チップ
【図１】
2015080714.tif 000003
【図２】
2015080714.tif 000004
【図３】
2015080714.tif 000005
【図４】
2015080714.tif 000006
【図５】
2015080714.tif 000007
【図６】
2015080714.tif 000008
(57)【要約】      （修正有）【課題】足圧分布のセンシングするインソールにおいて、構造的にインソールを薄く、且つ、はき心地を阻害しない一般的な履物に組み込める足圧センシングインソールを提供する。【解決手段】インソール本体１の踵部Ａ領域の外縁部に立ち上げ部２を設け、インソール本体１にサンドされているデバイスの足圧信号を出力する配線コードを連通するための配線立ち上げ溝３で構成する。【選択図】図１
2015080712.tif 000002
【特許請求の範囲】
【請求項１】
足圧センシングの出力送信ユニットは足裏に面する面の外縁部に位置し，前記、外縁部は踵部領域に位置した箇所より、立ち上げ、前記立ち上げた踵部はシューズ外の高さまで位置させ、前記シューズ外の高さに、前記、出力送信ユニットを収納したことを特徴とするインソール
【発明の詳細な説明】
【技術分野】
【０００１】  本発明は、足圧センシングデバイスを内蔵したインソールにおいて、出力された信号の送信モジュール及びＣＰＵ，電池など精密部分を保護するために踵部の周囲を足型形状に立ち上げ、その上部に精密ユニットを収納するインソールに関する。
【背景技術】
【０００２】  足圧センシングにおいて、出力された信号を有線式或いは無線式などでデバイス出力ユニット部を経由して送信する場合、足裏に接する領域にデバイス出力ユニット部を取り付けると耐久力を高めるためにインソールを厚くしなければならず、有線式においては、靴を履く際にコードが引っ掛かり、有線式、無線式共に一般的な履物に挿入し、はき心地を阻害しない足圧センシングインソールはなかった。
【発明の開示】
【発明が解決しようとする課題】
【０００４】  本発明は、以上の点を考慮してなされたものであり、足圧センシングにおいて、出力された信号を有線式或いは無線式などでデバイス出力ユニット部を経由して送信する場合、足裏に接しない領域にデバイス出力ユニット部を取り付けることで、構造的にインソールを薄く、且つ、はき心地を阻害しない一般的な履物に組み込める足圧センシングインソールを提供することを目的とする。
【課題を解決するための手段】
【０００５】上述した課題を解決するために、本発明に係るデバイス出力ユニット部をシューズ外に備えたインソールはインソールの踵部周囲を足型形状に立ち上げ、その上部に精密ユニットを収納することで、荷重作用の負荷を回避して且つ、電池交換或いは有線式による信号の取り出しを容易にすることができる【０００６】  デバイス出力ユニット部を備えたインソールの踵部周囲を足型形状にすることで、靴に挿入すると靴の踵部分の足型形状に食いつき履物と一体にすることができる。【０００７】本発明に係るデバイス出力ユニット部をシューズ外に備えたインソールは、靴の踵部高さより高い形状にできる調節機能を有した構造にすることで、デバイス出力ユニット部を納めるための厚みを靴の外に構成し通常市販されている規格範囲の厚みにすることができる。
【発明の効果】
【００１１】  本発明に係るデバイス出力ユニット部をシューズ外に備えたインソールの効果は、有線式或いは無線式などでデバイス出力ユニット部を経由して送信する場合、足裏に接しない領域にデバイス出力ユニット部シューズ外にを取り付けることで、構造的に安価に且つ、使い勝手の良い一般的な高機能インソールとして普及できる。
【発明を実施するための最良の形態】
【００１２】  以下、図面を参照して本発明の最良の形態について説明する。しかしながら、かかる実施例が本発明の技術的範囲を限定するものではない。【００１３】  図１は、本発明の実施の形態例におけるデバイス出力ユニット部をシューズ外に備えたインソールの上面図である。インソール本体１の踵部Ａ領域の外縁部に立ち上げ部２を設け、インソール本体１にサンドされているデバイスの足圧信号を出力する配線コードを連通するための配線立ち上げ溝３で構成されている。【００１４】  図２は、本発明の実施の形態例におけるデバイス出力ユニット部をシューズ外に備えたインソールの側断面図である。配線立ち上げ溝３を図１で示すようにくるぶし中心領域Ｃに設け、出力コネクタ６を通し、出力接続ユニット部７で通信モジュール、電池、有線ケーブルなど外部に足圧信号を送信する構成を示している。【００１５】  図３は、本発明の実施の形態例におけるデバイス出力接続ユニット部をシューズ外に備えたインソールのデバイスをインソール本体１にサンドして足圧分布を出力する信号を出力接続ユニット部７に配線する例である。【００１６】  図４は、本発明の実施の形態例におけるデバイス出力ユニット部をシューズ外に備えたインソールのジャャバラ式高さ調節部で折りたたんだ踵立ち上げ部の端末を靴に止める端末止め具１５の絵を示している。【００１７】  図５は、立ち上げた踵部の上部の高さを調節するためのジャバラ式高さ調節部１０の絵を示している。
【図面の簡単な説明】
【００１８】
【図１】本発明の実施の形態例における履物台座の上面図である。
【図２】本発明の足圧センシングスイッチユニット２の第１の構成例を示す断面図である。
【図３】足圧センシングスイッチユニット２のたわみ状態を示す図である。
【図４】足裏に対応する足圧センシングスイッチユニット２の位置を示す図である。
【図５】本発明の実施形態による足圧センシングスイッチユニット２の各チャンネルの電気配線例を示す図である。
【符号の説明】
【００１９】  １：インソール本体、２：立ち上げ部、３：配線立ち上げ溝、６：出力コネクタ、７：出力接続ユニット部、１０：ジャバラ式高さ調節部、１５：端末止め具、３０：デバイス
【図１】
2015080712.tif 000003
【図２】
2015080712.tif 000004
【図３】
2015080712.tif 000005
【図４】
2015080712.tif 000006
【図５】
2015080712.tif 000007
(57)【要約】【課題】   処理段階を簡素化し、有機スラッジをFMBR内の補充炭素源として、資源を節約し、炭素排出を低減し、有機スラッジを排出せず、二次汚染リスクを避ける。【解決手段】一種のスラッジ排出無し汚水での炭素・窒素・燐同期化分解方法で、有機スラッジ排出無し方法で反応器有機負荷（補充炭素源）を増加すると同時に、膜生物反応器パラメータの通性（又は嫌気性）状態形成をコントロールすることによって、通性膜生物反応器（FMBR）内で汚水汚泥処理を同期化し、それに炭素・燐を除去する。【選択図】  図１
2015080784.tif 000002
【特許請求の範囲】
【請求項１】
有機スラッジ無し方法で、有機スラッジを炭素・燐除去の補充炭素源とし、反応器有機負荷を増加すると同時に、通性膜生物反応器パラメータの通性（又は嫌気性）状態形成及び通性複合フローラ形成をコントロールし、通性膜生物反応器内で同期に炭素・窒素・燐分解を実現することを特徴とする一種のスラッジ排出無し汚水での炭素・窒素・燐同期化分解方法。
【請求項２】
前記通性膜生物反応器が汚水での炭素・窒素・燐の分解プロセスを同じ反応器内で完成させ、汚水での有機物を二酸化炭素、窒素ガス、ホスフィン、ダイホスフィンと水に分解することを特徴とする請求項1記載のスラッジ排出無し汚水での炭素・窒素・燐同期化分解方法。
【発明の詳細な説明】
【技術分野】
【０００１】
本発明は一種の汚水処理技術に係り、特に及一種の一種のスラッジ排出無し汚水での炭素・窒素・燐同期化分解方法に係る。
【背景技術】
【０００２】
ここ数年来わが国都市汚水処理工場建設が基本的に完成し、郷鎮汚水処理建設も開始し、その生活汚水を家畜・家禽養殖廃水と混ぜて排出（混合廃水排出）し、汚染物質濃度が高く、それに点が多く、範囲が広く、抑え・管理難度が大きい。混合排出廃水の管理は、中国が直面している主な環境問題で、その切迫性と重要性は言うまでもない。
【発明の概要】
【発明が解決しようとする課題】
【０００３】
伝統的な汚水処理プロセスに下記問題がある。(1)実施難度が大きい（非標準設計で、効率が低く、敷地面積が大きい）。(2) 水排出効果が不安定である（管理が複雑で、季節から大きな影響を受ける）。（3）周辺環境に影響を与え（有機剰余汚泥を排出し、異臭を生む）、混合排出廃水の管理に適合しない。
【０００４】
本発明は、有機スラッジ排出無し方法で反応器有機負荷を増加し、通性膜生物反応器（FMBR）内で汚水汚泥処理を同期化し、それに炭素・燐を除去することによって、処理段階を簡素化する。
【課題を解決するための手段】
【０００５】
具体に下記の技術案で実現する。
【０００６】
本発明は、一種のスラッジ排出無し方法で汚水中の炭素・窒素・燐同期化分解方法で、有機スラッジを排出しないことによって、有機スラッジを炭素・燐除去の補充炭素源とし、反応器有機負荷を増加し、これと同時に、通性膜生物反応器パラメータをコントロールし、通性又は嫌気性状態形成及び通性複合フローラ形成し、通性膜生物反応器内で同期に汚水中の炭素・窒素・燐分解を実現する。
【０００７】
前記通性膜生物反応器が汚水中の炭素・窒素・燐分解プロセスを同じ反応器内で完成し、汚水中の有機物を二酸化炭素、窒素ガス、ホスフィン、ダイホスフィンと水に分解する。
【発明の効果】
【０００８】
本発明は、有機剰余スラッジを排出しない方法で、有機スラッジをFMBR内補充炭素源とし、関連パラメータをコントロールして通性又は嫌気性状態を形成し、汚水及びスラッジを同期に処理し、汚水処理反応器の適応能力和処理効率を大幅に向上し、資源を節約し、炭素排出を減少し、二次汚染リスクを避け、伝統的な汚水処理プロセスの大きな実施難度、不安定な水排出効果及び周辺環境に対する影響等の欠陥を克服した。
【図面の簡単な説明】
【０００９】
【図１】汚水の有機物の分解図である
【発明を実施するための形態】
【実施例１】
【００１０】
本発明反応器内で通性又は嫌気性状態を形成し、反応器内のフローラが自己代謝を通して汚水中の有機物を二酸化炭素と水等の物質に転換すると同時に、衰亡した細菌をその他の細菌の栄養源として分解し、反応器内の有機スラッジを動態的平衡にさせ、有機剰余スラッジのゼロ接近排出を実現し、反応過程は説明書の付図を参考する。本発明反応器内で通性燐は嫌気性状態を形成し、反応器内のフローラが自己代謝を通して汚水中の燐を微生物体内の物質に転換してから、生物循環を通じてホスフィンとダイホスフィンに転換し、反応プロセスは下記の通りである。
C源+燐酸塩+通性複合フローラ → 微生物細胞（有機燐）
微生物細胞（有機燐）+通性複合フローラ → P2H4/PH3
【００１１】
本発明反応器内で通性又は嫌気性状態を形成し、反応器内のフローラが自己代謝を通して汚水中のアンモニア態窒素を窒素に転換し、反応プロセスは下記の通りである。
1/2NH4+(アンモニア態窒素)+1/2H2O+1/4O2 +通性複合フローラ → 1/2NO2-+2e+3H+
1/2NH4+(アンモニア態窒素) +1/2NO2-+通性複合フローラ →1/2N2+H2O
【００１２】
ある郷鎮汚水の処理を実例として、入り水はBOD5が200 mg/L、CODが305mg/Lで、アンモニア態窒素が10.49 mg/Lで、総燐が2.10 mg/Lであり、汚水が簡単な事前処理を経過した後、直接通性膜生物反応器に入り、技術的プロセスが連続に運行し、スラッジ排出がない。全体処理プロセスが通性膜生物反応器（FMBR）内で実施され、有機スラッジ排出無し方法で反応器有機負荷（補充炭素源）を増加し、膜生物反応器によりコントロールされたパラメータにより内部を通性好気性状態にさせ、通性複合フローラの自我代謝及び生物循環の作用の下で、汚水スラッジを同期に処理し、それに炭素・燐を除去し、有機汚染物質を最終に二酸化炭素、窒素气、ホスフィン及びダイホスフィンガス形式で空気に排出する。水排出BOD5が1.0 mg/Lで、CODが10.6mg/Lで、アンモニア態窒素が0.64 mg/Lで、総燐が0.20 (mg/L)で、《都市汚水処理工場汚染物質排出標準》(GB18918−2002)一級A標準より高い。
【実施例２】
【００１３】
ある農村汚水（生活汚水+家畜・家禽廃棄水混合排出）を実例として、入り水でBOD5が410 mg/Lで、CODが609mg/L、アンモニア態窒素が20.96 mg/Lで、総燐が4.10 mg/Lで、汚水が事前処理されてから、直接通性膜生物反応器に入り、技術的プロセスが連続に運行し、スラッジ排出がない。汚水が通性膜生物反応器（FMBR）内で処理され、プロセスで有機スラッジ排出無し方法で反応器有機負荷（補充炭素源）を増加し、膜生物反応器パラメータをコントロールして通性好気性状態を形成し、通性好気性膜生物反応器（FMBR）内で同期に汚水汚泥を処理し、それに炭素・燐を除去し、有機汚染物質を最終に二酸化炭素、窒素ガス、ホスフィン及びダイホスフィンガス形式で空気に排出し、水排出BOD5が1.8 mg/Lで、CODが16.6mg/Lで、アンモニア態窒素が0.83 mg/Lで、総燐が0.34 (mg/L)で、《都市汚水処理工場汚染物質排出標準》(GB18918−2002)一級A標準より高い。
【図１】
2015080784.tif 000003
(57)【要約】【課題】    本発明は、衣類の襟元から挿入したハンガーの羽を２本の指で開き、最大に開いたところでロックした状態になり、指を開いて羽を閉じ、衣類をはずすことができる、開閉ハンガーを提供する。【解決手段】  ハンガー中央ハウジング（１）の左右に羽支持バー（３）と開閉ストッパー（４）を設け、ハンガー羽（５）のフック側に指挿入穴（６）と開閉フック（７）を設ける。ハンガーの羽（５）を開ききったときに自動的に中央ハウジング（１）が上方に動いて、開き状態を保持し、羽（５）を閉じるときに自動的に中央ハウジング（１）が下方に動いて、開閉用部品を使わず、ハンガー部品の形状によって開閉機能を可能にする。【選択図】図１
2015080710.tif 000002
【特許請求の範囲】
【請求項１】
中央ハウジング（１）の左右に羽支持バー（３）と開閉ストッパー（４）を設け、羽（５）のフック側に指挿入穴（６）と、開閉フック（７）を設けた開閉ハンガーにおいて、中央ハウジング（１）の側面を一部凹んだ形状とし、その高さを羽（５）の指挿入穴（６）が近接したときの高さとずらし、羽（５）の支持部を長穴（７）にして、指挿入穴（６）の指が中央ハウジング（１）に接したときに、高さを一致するように、指にて中央ハウジング（１）を動かすことができる開閉ハンガー。
【発明の詳細な説明】
【技術分野】
【０００１】  本発明は、衣類の襟元から挿入したハンガーの羽を２本の指で開き、最大に開いたところでロックした状態になり、指を開いて羽を閉じ、衣類をはずすことができる、開閉ハンガーに関するものである。
【背景技術】
【０００２】  従来、衣類をハンガーに吊すときは、ハンガーを縦にして挿入しなければならない、あるいは襟元を広げて入れなければならなかった。
その解決策として、羽を開閉するハンガーが発明されている。
その開閉ロック機構には、バネを使ったもの、筋交い、ツッカエ棒を使ったもの、リンクを使ったものなどがある。
【先行技術文献】
【０００３】
【特許文献１】  特開２００３−２９９５６５号公報
【特許文献２】  特開２００５−２７９８８号公報
【特許文献３】  特開２０１３−１９２６１７号公報
【発明の概要】
【発明が解決しようとする課題】
【０００４】  従来、発明の開閉ハンガーは、次のような欠点があった。
（イ）複数の開閉用部品を使用しているので、部品数が多く、組立に手間もかかり、安価    にできない。
（ロ）挿入したハンガーと衣類を片手で一緒に持ちながら、他方の手でもう一方のハンガ    ーの羽を開かなければならないので、取り扱いが面倒であった。
（ハ）ロックを解除して、その自重で羽を閉じるため、閉じる速度が速くなり、衣類をつ    かめず、落としてしまうことがあった。
本発明は、以上の問題点を解決するためになされたものであった。
【課題を解決するための手段】
【０００５】  ハンガーの中央ハウジング（１）の上部にフック（２）を、左右に羽支持バー（３）と開閉ストッパー（４）を設ける。
中央ハウジング（１）の左右側面は部分的に凹んだ形状とする。
ハンガーの羽（５）のフック側に指挿入穴（６）と、開閉フック（７）を設け、羽は長穴（８）で中央ハウジング（１）に支持される。
以上の構成よりなる開閉ハンガー。
【発明の効果】
【０００６】  本発明は部品数が少ないので、組立が容易であり、安価にできる。
本発明を使用することによって、片手は衣類を持ち、他方の２本の指だけでハンガーを持って羽の開閉ができる。
そして、２本の指を閉じきったところで自動的に羽の開状態を保つことができる。
２本の指を開き始めると自動的に閉のロックが外れる。
そして、開く速さにより、羽の閉じる速さを加減できるため、衣類を落下することなく、外すことができる。
【図面の簡単な説明】
【０００７】
【図１】  本発明の開閉ハンガーの斜視図
【図２】  本発明の開閉ハンガーの把持状態図
【図３】  本発明（開閉ロック作用前）の中央ハウジング断面図
【図４】  本発明（開閉ロック作用後）の中央ハウジング断面図
【図５】  本発明の使用状態を示した正面図
【発明を実施するための形態】
【０００８】  以下、本発明の実施の形態を説明する。
中央ハウジング（１）上部にフック（２）を、下側の左右に羽支持バー（３）を設け、上側の左右に開閉ストッパー（４）を設ける。
中央ハウジング（１）の左右側面は部分的に円弧状の凹みを設け、その高さを、指挿入穴（６）が近接したときの高さより低くする。
羽（５）の中央ハウジング（１）側に指挿入穴（６）と、下方に向いた開閉フック（７）を設ける。
また、羽（５）支持部は羽（５）が開いた状態で上下方向の長穴（８）にする。
本発明は以上の構成よりなる。
本発明を使用する場合は、羽（５）の指挿入穴（６）に指を入れ、２本の指でハンガーを持ち、衣類の襟元から羽（５）を根本まで挿入する。
２本の指を閉じると羽（５）は開く。中央ハウジング（１）の側面に接するまで閉じると、指の腹部が中央ハウジング（１）側面の凹みの上側に接して、中央ハウジング（１）を上方に持ち上げ、開閉ストッパー（４）が羽（５）の開閉用フック（７）にはまった状態になる。
そのときに中央ハウジング（１）の羽支持バー（３）は長穴（７）の上端に移動した状態であり、中央ハウジング（１）のフック（２）を持つと、羽（５）には衣類の重さが作用して同状態を保持するため、羽は開いたままとなる。
衣類の吊り下がったハンガーの指挿入穴（６）に指を入れて開こうとすると、衣類の重さで羽（５）の先端が下がろうとするため、指を支点として、反対側の開閉フック（７）は持ち上がり、開閉ストッパー（４）から外れる。
２本の指を開いていくと、羽（５）は徐々に閉じ、衣類は急激に落下することなく外すことができる。
【符号の説明】
【０００９】    １  中央ハウジング
２  フック
３  羽支持バー
４  開閉ストッパー
５  羽
６  指挿入穴
７  開閉フック
８  長穴
【図１】
2015080710.tif 000003
【図２】
2015080710.tif 000004
【図３】
2015080710.tif 000005
【図４】
2015080710.tif 000006
【図５】
2015080710.tif 000007
(57)【要約】      （修正有）【課題】出力内部抵抗が大きく締りの悪い音になるこれらを解消させる定電圧アンプ、定電流アンプの両方を加味した回路を提供する。【解決手段】定電圧アンプの電力供給部に抵抗を入れその出力を取り出し定電圧アンプの入力前で入力信号と加算回路で合成させアンプ入力とする回路。【選択図】図１
2015080182.tif 000002
【特許請求の範囲】
【請求項１】
定電圧アンプの電力増幅部の電源供給部に抵抗を直列接続で入れ電力増幅部に供給される電流により電圧が発生しその電圧の変化分を入力信号と合成しその合成信号を定電圧アンプの入力信号とする定電流定電圧アンプ
【請求項２】
請求項１  の電流から電圧に変換した変化分と入力信号を加算合成しその加算割合をコントロールする回路
【発明の詳細な説明】
【考案の詳細な説明】
【産業上利用分野】
【０００１】オーディオ  音楽関係  など分野
【背景技術】
【０００２】今までの定電流アンプは出力側に小抵抗を入れスピーカーに流れる電流による小抵抗に発生する電圧を負帰還としてアンプを構成していた、よって出力インピーダンスが大きくなってしまう。
【本考案が解決しようとする課題】
【０００３】定電圧アンプによる出力内部抵抗と同じの定電流アンプの考案、定電流アンプで出力インピーダンスの低いダンピングファクターの大きいアンプの作成。
又音楽による好みの音色を出すためのスピーカー駆動の選択、定電流アンプ、定電圧アンプ、その中間などを選べるアンプ。
【問題点を解決するための手段】
【０００４】今までの定電流アンプは出力側に小抵抗を入れスピーカーに流れる電流による小抵抗に発生する電圧を負帰還としてアンプを構成していた、よって出力インピーダンスが大きくなってしまう。
よって定電圧メインアンプの電力増幅部に供給する電力部に適当な抵抗を直列接続で挿入しその抵抗による電圧の発生を利用し電圧の変化分を入力信号と合成し、その信号をメインアンプの入力信号とする又合成割合をコントロール出来るようにし定電流アンプとも定電圧アンプともその中間とも音楽に逢わせ聴く人の好みで選べるようにする回路。
【作用】
【０００５】スピーカーのインピーダンスはスピーカーの共振周波数で又周波数が高くなるに従って大きくなる傾向にあります、定電圧アンプはスピーカーに加わる電圧がインピーダンスに関係なく入力に比例した電圧が加わるためスピーカーのインピーダンスの変化に追従した電流が流れない、このインピーダンスの変化に関係なく入力電圧に比例した電流を流す事が出来る様に成る。
【実施例】
【０００６】請求工１
電力増幅（出力段）８の（＋、−）の電源部供給（１０）（１１）に小抵抗Ｒ１（１）（２）を接続し（＋）電源側は抵抗Ｒ１（１）から抵抗Ｒ３（３）と接続し（−）電源供給側も（＋）電源供給側と同じ様に抵抗Ｒ１（２）から抵抗Ｒ２（４）を接続し抵抗Ｒ２（３）と抵抗Ｒ２（４）接続し直流分をキャンセルし入力信号成分のみとする、その信号を加算回路（１６）の抵抗Ｒ３（５）を通し抵抗Ｒ４（６）と接続し中点より合成信号（１４）を作りそれお電圧増幅（７）の入力信号とする、定電流定電圧アンプ
請求工２
合成信号Ｖｉｎ（１４）を作る加算回路の抵抗Ｒ４（６）をボリュウム（１５）に取替え合成信号Ｖｉｎ（１４）の加算割合をコントロール出来る回路の、定電流定電圧アンプ
【考案の効果】
【０００７】音楽の録音はメーカーのモニタースピーカーの特性によりそこの場所での最高の録音に作り上げるでしょう、モニタースピーカーと同じスピーカーで家でも聴ければ良いのですがなかなかそうわいきません、そこで電流帰還量を調整できるアンプがあればスピーカーのインピーダンス変化に追従して電流が流れるので音色の変化にも繋がり音楽の楽しみも増えます。
【図面の簡単な説明】
【０００８】
【図１】電源供給部（１０）（１１）の（＋）（−）にそれぞに接続した抵抗（１）（２）と抵抗（３）（４）の接続による電流量の検出を行い負帰還としてアンプ入力信号の前で加算し合成信号を創りアンプ入力信号として動作させる回路図
【図２】電源供給部（１０）（１１）の（＋）（−）にそれぞに接続した抵抗（１）（２）と抵抗（３）（４）の接続による電流量の検出を行い負帰還としてアンプ入力信号の前でボリュウムにて加算量をコントロールし合成信号を創りアンプ入力信号として動作させる回路図
【符号の説明】１  Ｒ１抵抗  ７  電圧増幅Ａ            １３  スピーカー
２  Ｒ１抵抗  ８  出力段（電力増幅）Ｂ  １４  合成信号Ｖｉｎ
３  Ｒ２抵抗  ９  負帰還                １５  ボリュウム
４  Ｒ２抵抗  １０  （＋）電源供給      １６  加算回路
５  Ｒ３抵抗  １１  （−）電源供給
６  Ｒ４抵抗  １２  Ｖｉｎ（入力信号源）【０００９】
【図１】
2015080182.tif 000003
【図２】
2015080182.tif 000004